(57)【要約】【課題】遠方の音声であっても効果的に収音可能な撮像装置を提供することを目的とする。【解決手段】撮像装置は、光学系を通して入射する被写体像を撮像して画像データを出力する撮像部と、本体と、本体に設けられ、音声を収音して音声信号を出力するマイクロホンと、本体に対する位置を、少なくとも第１の位置および第２の位置に取ることが可能な可動部と、可動部が第２の位置にあるときに可動部のうちマイクロホン側となる面に設けられ、可動部が第１の位置にあるときには外部からの音声をマイクロホンに向けて反射せず、可動部が第２の位置にあるときには外部からの音声をマイクロホンに向けて反射する反射面と、を備える。【選択図】図１
2014187456.tif 000002
【特許請求の範囲】
【請求項１】
光学系を通して入射する被写体像を撮像して画像データを出力する撮像部と、
本体と、
前記本体に設けられ、音声を収音して音声信号を出力するマイクロホンと、
前記本体に対する位置を、少なくとも第１の位置および第２の位置に取ることが可能な可動部と、
前記可動部が前記第２の位置にあるときに前記可動部のうち前記マイクロホン側となる面に設けられ、前記可動部が前記第１の位置にあるときには外部からの音声を前記マイクロホンに向けて反射せず、前記可動部が前記第２の位置にあるときには外部からの音声を前記マイクロホンに向けて反射する反射面と、
を備える撮像装置。
【請求項２】
前記反射面が前記マイクロホンに向けて反射する音声がやってくる方向が前記光学系の光軸の方向と略同一となるような向きに、前記反射面が前記可動部に配置される、
請求項１記載の撮像装置。
【請求項３】
前記可動部に設けられ、前記可動部が第２の位置にあるときに発光可能なフラッシュを備える、
請求項２記載の撮像装置。
【請求項４】
前記反射面は、前記可動部が第２の位置にあるときに焦点が前記マイクロホンの位置と略等しくなるような凹面である、
請求項３記載の収音装置。
【請求項５】
本体と、
前記本体に設けられ、音声を収音して音声信号を出力するマイクロホンと、
前記本体に対する位置を、少なくとも第１の位置および第２の位置に取ることが可能な可動部と、
前記可動部が前記第２の位置にあるときに前記可動部のうち前記マイクロホン側となる面に設けられ、前記可動部が前記第１の位置にあるときには外部からの音声を前記マイクロホンに向けて反射せず、前記可動部が前記第２の位置にあるときには外部からの音声を前記マイクロホンに向けて反射する反射面と、
を備える収音装置。
【発明の詳細な説明】
【技術分野】
【０００１】
ここに開示される技術は、音声を収音して音声データを記録可能な撮像装置に関する。
【背景技術】
【０００２】
近年、音声データを記録できる撮像装置が普及してきている。こうした音声記録機能を備える撮像装置において、レンズの焦点距離（ズーム位置）情報に基づいてマイクロホンの指向性を調節することにより、収音する範囲を変更する機能（音響的ズーム機能）を実現する技術が知られている（例えば、特許文献１参照）。
【先行技術文献】
【特許文献】
【０００３】
【特許文献１】特開平８−１８２０９１号公報
【発明の概要】
【発明が解決しようとする課題】
【０００４】
従来の撮像装置は、音源から発せられた音声を収音したときの音声信号のレベルが音源からの距離に応じて低くなるため、遠方の音声を収音した場合に音声信号のＳ／Ｎ比が悪化する可能性があった。
【０００５】
ここに開示される技術は、遠方の音声であっても効果的に収音可能な撮像装置を提供することを目的とする。
【課題を解決するための手段】
【０００６】
ここに開示される撮像装置は、光学系を通して入射する被写体像を撮像して画像データを出力する撮像部と、本体と、本体に設けられ、音声を収音して音声信号を出力するマイクロホンと、本体に対する位置を、少なくとも第１の位置および第２の位置に取ることが可能な可動部と、可動部が第２の位置にあるときに可動部のうちマイクロホン側となる面に設けられ、可動部が第１の位置にあるときには外部からの音声をマイクロホンに向けて反射せず、可動部が第２の位置にあるときには外部からの音声をマイクロホンに向けて反射する反射面と、を備える。
【発明の効果】
【０００７】
ここに開示される技術によれば、遠方の音声であっても効果的に収音可能な撮像装置を提供することができる。
【図面の簡単な説明】
【０００８】
【図１】実施の形態１に係るデジタルカメラの概要を示す模式図
【図２】実施の形態１に係るデジタルカメラの電気的構成を示すブロック図
【図３】実施の形態１に係るデジタルカメラの動画撮影モード時の動作の流れを示すフローチャート
【発明を実施するための形態】
【０００９】
〔実施の形態１〕
次に、図面を用いて、本発明の実施の形態について説明する。以下の図面の記載において、同一又は類似の部分には、同一又は類似の符号を付している。ただし、図面は模式的なものであり、各寸法の比率等は現実のものとは異なっている場合がある。従って、具体的な寸法等は以下の説明を参酌して判断すべきである。また、図面相互間においても互いの寸法の関係や比率が異なる部分が含まれていることは勿論である。
【００１０】
なお、以下の実施の形態では、収音装置を備えた電子機器である撮像装置として、デジタルカメラを例に挙げて説明する。以下の説明では、通常姿勢（以下、横撮り姿勢ともいう）の撮像装置を基準として、被写体に向かう方向を「前方」、被写体の反対に向かう方向を「後方」、鉛直上方を「上方」、鉛直下方を「下方」、被写体に正対した状態における右向きを「右方」、被写体に正対した状態における左向きを「左方」、と表現する。
【００１１】
実施の形態１のデジタルカメラ１００は、マイクロホン部１１１を備え、動画撮影時にマイクロホン部１１１で収音し、画像記録と共に音声記録を行う。以下、デジタルカメラ１００の構成および動作を説明する。
【００１２】
〔１．構成〕
〔１−１．デジタルカメラ１００の構成〕
以下、図を用いてデジタルカメラ１００の構成を説明する。
【００１３】
図１は、本実施形態のデジタルカメラ１００の概要を示す模式図である。
【００１４】
デジタルカメラ１００は、本体部１０１とストロボ部２００とマイクロホン部１１１を備える。ストロボ部２００は、本体部１０１に対して開閉可能なように取り付けられている。
【００１５】
図１（ａ）は、ストロボ部２００が閉じた状態（本体に収納された状態）のデジタルカメラ１００の模式図である。ストロボ部２００にはマイクロホン開口部２００ａが備えられ、ストロボ部２００が閉じた状態において、マイクロホン部１１１はマイクロホン開口部２００ａ内に位置し、外部に露出するようになっている。したがって、ストロボ部２００が閉じた状態でもマイクロホン部１１１に周囲音が収音できる構成である。
【００１６】
図１（ｂ）は、ストロボ部２００が上方に開いた状態（本体から上方に突出した状態）のデジタルカメラ１００の模式図である。ストロボ部２００は反射板３００を備えており、マイクロホン部１１１に周囲音が直接収音される場合と、反射板３００を介してより前方の音をマイクロホン部に誘導する場合の、両方の効果を得ることができる構成である。
【００１７】
図２は、デジタルカメラ１００の電気的構成図である。デジタルカメラ１００は、画像入力系１４０、音声入力系１１０、デジタル画像・音声処理部１２０、コントローラ１３０、ＲＡＭ１５０、ストロボ部２００、ストロボ開閉検出部２０２、ストロボ開閉駆動部２０３、外部記憶媒体１６０、ＲＯＭ１７０、操作部１８０、表示部１９０、ビューファインダー１９１、およびスピーカー１９５を、備える。
【００１８】
デジタルカメラ１００は、外部から得られた情報に基づいて、画像情報および音声信号を生成する。画像情報は、画像入力系１４０によって生成される。音声信号は、音声入力系１１０によって生成される。ここで生成された画像情報および音声信号は、Ａ／Ｄ変換され、デジタル画像・音声処理部１２０で各処理が施された後、メモリカード等の外部記憶媒体１６０に記録される。外部記憶媒体１６０に記録された画像情報は、使用者による操作部１８０の操作を受け付けて、表示部１９０および／またはビューファインダー１９１に表示される。外部記憶媒体１６０に記録された音声信号は、使用者による操作部１８０の操作を受け付けて、スピーカー１９５から出力される。
【００１９】
以下、図１から図２に示す各部の詳細を説明する。
【００２０】
画像入力系１４０は、鏡筒１４１、レンズ制御部１４２、ＣＣＤイメージセンサ１４３、およびＡＦＥ（アナログ・フロント・エンド）１４４を、備える。
【００２１】
鏡筒１４１は、複数のレンズを有する光学系である。鏡筒１４１は、レンズ制御部１４２から通知された制御信号に従って駆動されたモータによって、被写体のフォーカス調節、画角調節、入射する光量調節、および手ぶれ補正などを行い、被写体像を形成する。
【００２２】
ＣＣＤイメージセンサ１４３は、鏡筒１４１を通して形成された被写体像を撮像して、画像情報を生成する。ＣＣＤイメージセンサ１４３の受光面には、多数のフォトダイオードが、２次元的に（マトリクス状に）配列されている。また、各フォトダイオードに対応する、Ｒ、ＧまたはＢの原色カラーフィルターが、配置されている。Ｒ、ＧおよびＢの原色カラーフィルターは、所定の配列構造で配置されている。撮像対象となる被写体からの光は、鏡筒１４１を通過した後に、ＣＣＤイメージセンサ１４３の受光面に結像される。結像された被写体像は、各フォトダイオードへ入射した光量に応じて、Ｒ、ＧまたはＢに仕分けられたそれぞれの色情報に、変換される。その結果、被写体像全体を示す画像情報が、生成される。各フォトダイオードは、ＣＣＤイメージセンサ１４３の画素に対応する。しかし、各フォトダイオードから実際に出力される色情報は、Ｒ、Ｇ、Ｂのいずれかの原色情報である。そのため、各画素のそれぞれで発現させるべき色は、後段のデジタル画像・音声処理部１２０において、各画素に対応するフォトダイオードおよび、その周辺のフォトダイオードから出力される原色情報（色、光量）に基づき生成される。なお、ＣＣＤイメージセンサ１４３は、デジタルカメラ１００が撮影モードにあるとき、一定時間ごとに新しいフレームの画像情報を生成することができる。
【００２３】
ＡＦＥ１４４では、ＣＣＤイメージセンサ１４３から読み出された画像情報に対して相関二重サンプリングによる雑音抑圧、アナログゲインコントローラによるＡ／Ｄコンバータの入力レンジ幅への増幅、Ａ／ＤコンバータによるＡ／Ｄ変換が、施される。その後、ＡＦＥ１４４は、画像情報をデジタル画像・音声処理部１２０に出力する。
【００２４】
ストロボ開閉検出部２０２は、ストロボ部２００が開いた状態であるか閉じた状態であるかを検出し、その検出結果をコントローラ１３０に入力する。開閉状態の検出は、例えば、ストロボ部２００を閉じたときにストロボ部２００により押下されてオンとなり、開いたときにオフとなるようなスイッチを設け、このスイッチのオン／オフをコントローラ１３０に入力することにより実現される。
【００２５】
ストロボ開閉駆動部２０３は、ストロボ部２００の開閉動作を行う。例えば、動画撮影開始の場合、使用者が操作部１８０を操作して動画撮影開始の指示を行うと、操作部１８０からコントローラ１３０へ制御信号が入力され、検出結果に応じて、コントローラ１３０はストロボ開閉駆動部２０３を制御しストロボ部２００を開く。また、撮影終了後の場合は同様に、操作部１８０からコントローラ１３０へ制御信号が入力され、検出結果に応じて、コントローラ１３０はストロボ開閉駆動部２０３を制御しストロボ部２００を閉じる。
【００２６】
音声入力系１１０は、マイクロホン部１１１およびアナログ音声処理部１１５を、備える。マイクロホン部１１１は、本体部１０１の上面に配置されている。マイクロホン部１１１は、音響信号を各マイクロホンにより電気信号に変換して音声信号を出力する。出力された音声信号は、アナログ音声処理部１１５に入力される。アナログ音声処理部１１５は、処理した音声信号をＡ／ＤコンバータによりＡ／Ｄ変換し、デジタル画像・音声処理部１２０に出力する。
【００２７】
デジタル画像・音声処理部１２０は、ＡＦＥ１４４から出力された画像情報、およびアナログ音声処理部１１５から出力された音声信号に対して、各種の処理を施す。例えば、デジタル画像・音声処理部１２０は、コントローラ１３０からの指示に従って、画像情報に対して、ガンマ補正、ホワイトバランス補正、傷補正、および符号化処理等を行う。また、デジタル画像・音声処理部１２０は、コントローラ１３０からの指示に従って、音声信号に対する各種処理を行う。デジタル画像・音声処理部１２０は、ハードワイヤードな電子回路で実現してもよいし、プログラムを実行するマイクロコンピュータなどで実現してもよい。デジタル画像・音声処理部１２０は、コントローラ１３０などと一体化した１つの半導体チップとして、実現してもよい。マイクロホン部１１１は、単一マイク構成で実現してもよく、複数マイクで構成してもよい。
【００２８】
表示部１９０は、デジタルカメラ１００の背面に配置される。本実施の形態では、表示部１９０は、液晶ディスプレイである。表示部１９０は、デジタル画像・音声処理部１２０にて処理された画像情報に対応する画像を、表示する。表示部１９０が表示する画像には、スルー画像および再生画像などがある。スルー画像は、ＣＣＤイメージセンサ１４３により一定時間ごとに連続的に新たに生成されるフレームの画像である。通常は、デジタルカメラ１００が撮影モードに設定された状態において、静止画撮影を行っていない待機状態、または動画撮影状態にあるときに、デジタル画像・音声処理部１２０が、ＣＣＤイメージセンサ１４３の生成した画像情報から、スルー画像を生成する。使用者は、表示部１９０に表示されるスルー画像を、参照することにより、被写体の構図を確認しながら被写体を撮影できる。
【００２９】
再生画像は、デジタルカメラ１００が再生モードにあるときに、デジタル画像・音声処理部１２０により生成される。再生画像は、外部記憶媒体１６０等に記録された高画素の記録画像を、表示部１９０のサイズに合わせて低画素に縮小した画像である。外部記憶媒体１６０に記録される高画素の画像情報は、操作部１８０が使用者による所定の操作を受け付けた後に、ＣＣＤイメージセンサ１４３が生成した画像情報に基づいて、デジタル画像・音声処理部１２０により生成される。スピーカー１９５は、外部記憶媒体１６０に記録された音声信号を、出力する。表示部１９０が表示する表示内容は、ビューファインダー１９１に表示することもできる。
【００３０】
コントローラ１３０は、デジタルカメラ１００全体の動作を統括制御する。
【００３１】
ＲＯＭ１７０は、コントローラ１３０が実行するためのプログラム、例えばオートフォーカス制御（ＡＦ制御）や自動露出制御（ＡＥ制御）、ストロボ部２００の発光制御などに関するプログラム、およびデジタルカメラ１００全体の動作を統括制御するためのプログラム等を、格納している。
【００３２】
また、ＲＯＭ１７０は、ストロボ開閉検出部の検出結果（ストロボが閉じた状態か開いた状態かを検出した結果）を含む、デジタルカメラ１００に関する各種条件および設定を、記憶する。なお、本実施の形態では、ＲＯＭ１７０は、フラッシュＲＯＭである。
【００３３】
コントローラ１３０は、ハードワイヤードな電子回路で実現してもよいし、プログラムを実行するマイクロコンピュータなどで実現してもよい。また、コントローラ１３０は、デジタル画像・音声処理部１２０などと一体的に１つの半導体チップとして実現してもよい。また、ＲＯＭ１７０は、コントローラ１３０の外部に（コントローラ１３０とは別体として）存在している必要はなく、コントローラ１３０の内部に組み込まれていてもよい。
【００３４】
ＲＡＭ１５０は、デジタル画像・音声処理部１２０およびコントローラ１３０のワークメモリとして機能する。ＲＡＭ１５０は、ＳＤＲＡＭやフラッシュメモリなどで実現できる。ＲＡＭ１５０は、画像情報および音声信号などを記録するための内部メモリとしても機能する。なお、ストロボ開閉検出部の検出結果をＲＡＭ１５０に記憶するようにしてもよい。
【００３５】
外部記憶媒体１６０は、内部にフラッシュメモリ等の不揮発性の記録部を備えた外部メモリである。外部記憶媒体１６０は、デジタル画像・音声処理部１２０で処理される画像情報および音声信号などのデータを、記録可能である。
【００３６】
操作部１８０は、デジタルカメラ１００の外装に配置される操作釦や操作ダイヤルなどの操作インターフェースの総称である。操作部１８０は、レリーズ釦やズームレバーを含む。操作部１８０は、使用者による操作を受け付ける。操作部１８０は、使用者による操作を受け付けると、コントローラ１３０に対して、種々の動作を指示する信号を、通知する。
【００３７】
ストロボ部２００は、マイクロホン開口部２００ａと反射板３００を備えている。ストロボ部２００は、デジタルカメラ１００の本体部１０１に沿うような収納位置に位置する閉じた状態（または閉じた位置）、および、キセノン管２０１をデジタルカメラ１００の上方に突出させた突出位置に配置する開いた状態（または開いた位置）をとることが可能である。ストロボ部２００は、ストロボ開閉駆動部２０３により、閉じた状態および開いた状態の間を遷移可能、すなわち開閉動作が可能である。マイクロホン開口部２００ａは、マイクロホン部１１１の形状に合わせて開口するように成形されている。ストロボ部２００が閉じた状態において、マイクロホン部１１１がマイクロホン開口部２００ａの内部に位置することにより外部に露出し、周囲音を収音できるよう構成される。
【００３８】
また、反射板３００は、ストロボ部２００が上方に開いた状態で、デジタルカメラ１００における前方向の撮影被写体の周囲音をマイクロホン部１１１に向けて反射させ、マイクロホン部１１１に効果的に収音できるように配置、構成される。反射板３００は、ストロボ部２００が開いた状態であるときに、ストロボ部２００のうちマイクロホン部１１１側となる面に設けられている。反射板３００は、ストロボ部２００が閉じた状態であるときには外部からの音声をマイクロホン部１１１に向けて反射しない一方、ストロボ部２００が開いた状態であるときには外部からの音声をマイクロホン部１１１に向けて反射する。反射板３００は、ストロボ部２００が開いた状態であるときに、外部からの音声をより多くマイクロホン部１１１に向けて反射できるように、マイクロホン部１１１に対してくぼんだ凹面を備える。この凹面は、ストロボ部２００が開いた状態においてその焦点がマイクロホン部１１１の位置と略等しくなるような位置および形状とすることが望ましい。また、この凹面は、マイクロホン部１１１に向けて反射する音声がやってくる方向が、デジタルカメラ１００の鏡筒１４１の光軸の方向と略同一となる向きに配置されることが望ましい。こうすることで、マイクロホン部１１１に被写体の周囲音が直接収音されると共に、反射板３００を介して被写体の周囲音をマイクロホン部に収音することができる。
【００３９】
また、ストロボ部２００はキセノン管２０１を備える。キセノン管２０１は、コンデンサと昇圧回路と発光トリガ回路とにより駆動される。昇圧回路は、コントローラ１３０からの制御信号に従って、コンデンサに高電圧を印加する。発光トリガ回路は、撮影と同期して、コンデンサに高電圧を放電させる。具体的には、発光トリガ回路は、コントローラ１３０からの制御信号に従って、印加充電されたコンデンサに高電圧を放電させて、キセノン管２０１内のキセノンガスを瞬間的に発光させる。キセノン管２０１は、ストロボ部２００が開いた状態であるときに発光可能である。これにより、デジタルカメラ１００は、発光された被写体を撮影することができる。すなわち、ストロボ部２００のキセノン管２０１が被写体に対して撮像時に瞬間的に発光することによって、被写体の明るさを補った撮影ができる。
【００４０】
なお、ストロボ部２００のキセノン管２０１の発光には、プリ発光と本発光がある。プリ発光は、撮影前の発光である。プリ発光では、キセノン管２０１の発光によって被写体からの反射光量の度合が測定され、この反射光量の度合いに基づいて被写体までの距離が判定される。そして、この判定結果に応じて、撮影時のキセノン管２０１の発光量が求められる。本発光は、プリ発光により求められた発光量で、撮影のタイミングと同期して実行される。
【００４１】
〔１−２．本技術との対応関係〕
ＣＣＤイメージセンサ１４３は、撮像部の一例である。デジタルカメラ１００の本体部１０１は、本発明の本体の一例である。ストロボ部２００は、可動部の一例である。マイクロホン部１１１は、マイクロホンの一例である。反射板３００は、反射面の一例である。キセノン管２０１は、フラッシュの一例である。鏡筒１４１は、光学系の一例である。デジタルカメラ１００は、本発明の撮像装置および収音装置の一例である。デジタルカメラ１００は、本発明の電子機器の一例である。
【００４２】
〔２．動作〕
続いて、本実施の形態１に係るデジタルカメラ１００の動画撮影モード時の動作について説明する。デジタルカメラ１００は、動画撮影モードにおける待機状態または動画撮影中である動画撮影状態において、スルー画像を表示部１９０に表示する。以下では、図３を用いて、動画撮影モード時の音声記録の動作の流れについて説明する。
【００４３】
図３は、デジタルカメラ１００の動画撮影モード時の動作の流れを示すフローチャートである。使用者が操作部１８０を操作してデジタルカメラ１００を動画撮影モードに設定するものとする。すると、デジタルカメラ１００は、動画撮影モードに入る。ステップＳ５０１の待機状態は、ステップＳ５０１ａのスルー画像表示処理と、ステップＳ５０１ｂのストロボ開閉検出処理と、ステップＳ５０１ｃのストロボ開閉駆動処理とを、含む。ステップＳ５０１ａにおいて、コントローラ１３０は、表示部１９０に、デジタル画像・音声処理部１２０が出力するスルー画像を、表示する。ステップＳ５０１ｂにおいて、ストロボ開閉検出部２０２は、ストロボ部２００が閉じた状態か開いた状態かを検出し、検出結果をコントローラ１３０に入力する。ステップＳ５０１は、動画撮影モードにおける待機状態である。動画撮影モードの場合は、ストロボ開閉検出処理Ｓ５０１ｂにおいて、ストロボ部２００が閉じていると検出したときに、ストロボ開閉駆動処理Ｓ５０１ｃによりコントローラ１３０がストロボ開閉駆動部２０３へストロボ部２００を開くように制御する。これにより、ストロボ部２００が閉じた状態から開いた状態へと遷移する。次に、ステップＳ５０２において、コントローラ１３０は、レリーズ釦が押下されたかどうかを判定する。
【００４４】
ステップＳ５０２において、コントローラ１３０が、レリーズ釦が押下されたと判定すると（Ｓ５０２でＹｅｓ）、ステップＳ５０４の動画撮影動作が実行される。ステップＳ５０４の動画撮影動作は、ステップＳ５０４ｖの画像記録動作と、ステップＳ５０４ａの音声記録動作とを、含む。ステップＳ５０４の動画撮影動作においては、例えば１フレーム期間分の画像情報および音声信号の記録処理が行われる。なお、１フレーム期間とは、動画撮影時のフレームレートの逆数であり、例えばフレームレートが６０フレーム／秒であれば、１フレーム期間は１／６０秒となる。
【００４５】
また、ステップＳ５０４ａの音声記録動作においては、マイクロホン部１１１は被写体の周囲から直接届く周囲音を収音すると共に、反射板３００が反射した周囲音を収音し、音声信号として出力する。この音声信号はアナログ音声処理部１１５に入力されて処理され、さらに後段のデジタル画像・音声処理部１２０に出力される。例えば、動画撮影時に、使用者が操作部１８０のズームレバーを操作すると、この操作に応じてコントローラ１３０がレンズ制御部１４２を制御し、鏡筒１４１のズーム位置を変化させる。これにより、ＣＣＤイメージセンサ１４３に結像する被写体像の倍率が変化する。そして、このときのズーム位置の情報（またはズームレバーの操作）に基づいて、マイクロホン部１１１からの音声信号をアナログ音声処理部１１５で利得制御することで、より遠方の音をより大きな音声信号として取り込み、記録することが可能である。また、反射板３００による音声の反射により、これまでの音声信号の利得の増加のみによる音声処理に比較し、ノイズが少なく、且つ、より遠方の音を明瞭に取り込み、記録することが可能になる。
【００４６】
続いて、ステップＳ５０５において、コントローラ１３０は、レリーズ釦が押下されたかどうかを判定する。ステップＳ５０５において、コントローラ１３０が、レリーズ釦が押下されていないと判定すると（Ｓ５０５でＮｏ）、コントローラ１３０は、ステップＳ５０４において次の１フレーム期間分の動画撮影動作を行う。また、コントローラ１３０が、レリーズ釦が押下されたと判定すると（Ｓ５０５でＹｅｓ）、コントローラ１３０は、動画撮影動作を終了し、ステップＳ５０１の待機状態を管理する。このように、動画撮影モードでは、デジタルカメラ１００は、レリーズ釦が押下されてから再び押下されるまでの間において、動画撮影動作を行う。
【００４７】
一方、ステップＳ５０２において、コントローラ１３０がレリーズ釦を押下していないと判定すると（Ｓ５０２でＮｏ）、コントローラ１３０は、ステップＳ５０３において撮影モードを判定する。ステップＳ５０３では、コントローラ１３０が、現在の動作モードが動画撮影モードかどうかを、判定する。ステップＳ５０３において、コントローラ１３０が、動作モードが動画撮影モードであると判定すると（Ｓ５０３でＹｅｓ）、コントローラ１３０は、動画撮影モードの動作の始点であるステップＳ５０１を再び実行する。ステップＳ５０３において、コントローラ１３０が、動作モードが動画撮影モードでないと判定すると（Ｓ５０３でＮｏ）、コントローラ１３０は動画撮影モードの動作を終了し、ストロボ開閉駆動部２０３がストロボ部２００を閉じるように駆動する。これにより、ストロボ部２００は開いた状態から閉じた状態へと遷移する。
【００４８】
〔３．まとめ〕
以上のように、本実施の形態のデジタルカメラ１００は、デジタルカメラ１００の本体と、ストロボ部２００が開いた状態において、前方の音声をマイクロホン部１１１に反射させ誘導するように反射板３００を設けることで、遠方の音声を効果的に収音かつ録音できる装置を、提供することができる。
【００４９】
〔他の実施の形態〕
本発明は、上記実施の形態に限定されず、種々の実施形態が考えられる。以下、本発明の他の実施の形態についてまとめて記載する。
【００５０】
上記実施の形態において、マイクロホン部１１１を備えたストロボ部２００は、デジタルカメラ１００の本体に対して所定範囲内で回動することにより、デジタルカメラ１００の本体に収納された状態（閉じた状態）、および上方に突出した状態（開いた状態）を取るものとした。しかしながら、ストロボ部２００は、デジタルカメラ１００の本体に対して位置および向きのうち少なくともいずれか一方の状態が可変であればよい。より厳密には、ストロボ部２００が閉じた状態から移動または回動することにより反射板３００の位置および向きの少なくともいずれか一方を変え、外部からの音を反射してマイクロホン部１１１に導くことができるように構成されていればよい。
【００５１】
上記実施の形態において、ストロボ部２００は、ストロボ開閉駆動部２０３によって駆動されて開閉動作を行う構成とした。しかしながら、ストロボ部２００は、使用者によって手動で開閉される構成であってもよい。
【００５２】
上記実施の形態において、撮像装置および収音装置としてデジタルカメラ１００を例に挙げて説明した。しかしながら、音声の収音にあたり同様の構成を備えた電子機器であればよい。すなわち、画像に関する処理を行わない装置であってもよく、例えばボイスレコーダのような電子機器であってもよい。また、本体に対する可動部はストロボ部２００でなくともよく、本体部１０１に対して可動する部材に、本体部１０１に備えられたマイクロホン部１１１への音声の反射を行う部材が配置されていればよい。
【００５３】
上記実施の形態において、ストロボ部２００の発光部としてキセノン管２０１を例に挙げて説明した。しかしながら、発光部としてはキセノン管以外の構成であってもよく、例えばＬＥＤ等であってもよい。
【００５４】
上記実施の形態において、デジタル画像・音声処理部１２０およびコントローラ１３０は、各々上記のような機能および構成を有するものとして説明したが、これら機能および構成は、一部が他方に含まれるような構成としてもよい。
【００５５】
上記実施の形態において、ＣＣＤイメージセンサ１４３を、撮像部の一例として説明したが、本発明はこれに限定されない。すなわち、ＭＯＳイメージセンサなど他の撮像素子であっても本発明に適用可能である。
【産業上の利用可能性】
【００５６】
ここに開示される技術によれば、遠方の音声であっても効果的に収音可能な撮像装置を提供することができる。このため、デジタルカメラ、ムービーカメラ、携帯電話、ボイスレコーダなど、音声データの記録を行う機器にも適用可能である。
【符号の説明】
【００５７】
１００  デジタルカメラ
１１０  音声入力系
１１１  マイクロホン部
１１５  アナログ音声処理部
１２０  デジタル画像・音声処理部
１３０  コントローラ
１４０  画像入力系
１４１  鏡筒
１４２  レンズ制御部
１４３  ＣＣＤイメージセンサ
１５０  ＲＡＭ
１６０  外部記憶媒体
１７０  ＲＯＭ
１８０  操作部
１９０  表示部
１９５  スピーカー
２００  ストロボ部
２０１  キセノン管
２０２  ストロボ開閉検出部
２０３  ストロボ開閉駆動部
【図１】
2014187456.tif 000003
【図２】
2014187456.tif 000004
【図３】
2014187456.tif 000005